(57)【要約】【目的】扉枠を建物の壁開口部に取り付ける際の扉枠の位置調整の自由度を拡大し、施工性を向上させる。【構成】扉枠部材１１に固定される座板部材３１と、この座板部材に同心状に固定される板バネ３２と、座板部材を板バネを介して建物の躯体１６に固定する調整ビス３３とを有する扉枠調整具３０を用いて、扉枠を建物の開口部に取り付ける。板バネの弾性変形を通じて、壁の開口部に対する扉枠部材の間隔調整を可能にする。また、座板部材及び弾性部材の各中心には調整ビスの胴径より大きい寸法の孔３７，４３が形成されており、調整ビスがこれら孔を挿通して建物の躯体にねじ込まれることにより、壁の開口部に対するずらし方向における扉枠部材の位置調整を可能にしている。【選択図】図２
2006241742.tif 000002
【特許請求の範囲】
【請求項１】
扉枠を壁の開口部に固定する際の扉枠部材の位置出しを行うための扉枠調整具であって、扉枠部材に固定される座板部材と、この座板部材に同心状に固定される弾性部材と、座板部材を弾性部材を介して建物の躯体に固定する調整ビスとを有し、弾性部材は、調整ビスによって固定された座板部材と建物の躯体との間隔が狭くなったときに押圧されて弾性変形して、壁の開口部に対する扉枠部材の間隔調整を可能にし、且つ、座板部材及び弾性部材の各中心には調整ビスの胴径より大きい寸法の孔が形成されており、調整ビスがこれら孔を挿通して建物の躯体にねじ込まれた状態において、壁の開口部に対するずらし方向における扉枠部材の位置調整を可能にしていることを特徴とする扉枠調整具。
【請求項２】
座板部材の中心に対応する位置において扉枠部材には、調整ビス挿通用の孔より大きな寸法の貫通孔が形成されており、調整ビスは、該貫通孔より小さく且つ該調整ビス挿通用の孔より大きな寸法の座金を介して建物の躯体にねじ込まれることを特徴とする、請求項１記載の扉枠調整具。
【請求項３】
請求項１又は２記載の扉枠調整具を用いて扉枠部材の位置出しを行った後、建物の躯体と扉枠との間の隙間にスペーサを挿入した固定ビスで扉枠部材を躯体に固定してなることを特徴とする扉枠取付構造。
【請求項４】
扉枠調整具が扉枠の左右縦枠部材の任意箇所に固定されたことを特徴とする、請求項２記載の扉枠取付構造。
【発明の詳細な説明】
【技術分野】
【０００１】
本発明は、ドア、引戸等の扉枠を建物の壁開口部に取り付ける際に扉枠の位置調整を行うために用いられる扉枠調整具及びこの扉枠調整具を用いた扉枠取付構造に関する。
【背景技術】
【０００２】
扉枠調整具として、たとえば下記特許文献１，２に記載のものが知られている。これら特許文献記載の扉枠調整具では、調整ネジや隙間調整具を用いて扉枠を水平方向に移動可能にして位置調整を行っている。
【特許文献１】特許第２９４６２１０号公報
【特許文献２】特許第３３４４８１９号公報
【発明の開示】
【発明が解決しようとする課題】
【０００３】
しかしながら、従来の扉枠調整具は、扉枠部材を水平方向にのみ移動して調整するものであり、微妙な位置調整を行うことが困難であり、施工性に問題があった。
【０００４】
したがって、本発明が解決しようとする課題は、扉枠を建物の壁開口部に取り付ける際の扉枠の位置調整の自由度を拡大し、施工性を向上させることのできる新規な構成の扉枠調整具及びこの扉枠調整具を用いた扉枠取付構造を提供することにある。
【課題を解決するための手段】
【０００５】
上記の課題を達成するため、請求項１に係る本発明は、扉枠を壁の開口部に固定する際の扉枠部材の位置出しを行うための扉枠調整具であって、扉枠部材に固定される座板部材と、この座板部材に同心状に固定される弾性部材と、座板部材を弾性部材を介して建物の躯体に固定する調整ビスとを有し、弾性部材は、調整ビスによって固定された座板部材と建物の躯体との間隔が狭くなったときに押圧されて弾性変形して、壁の開口部に対する扉枠部材の間隔調整を可能にし、且つ、座板部材及び弾性部材の各中心には調整ビスの胴径より大きい寸法の孔が形成されており、調整ビスがこれら孔を挿通して建物の躯体にねじ込まれた状態において、壁の開口部に対するずらし方向における扉枠部材の位置調整を可能にしていることを特徴とする。
【０００６】
請求項２に係る本発明は、請求項１記載の扉枠調整具において、座板部材の中心に対応する位置において扉枠部材には、調整ビス挿通用の孔より大きな寸法の貫通孔が形成されており、調整ビスは、該貫通孔より小さく且つ該調整ビス挿通用の孔より大きな寸法の座金を介して建物の躯体にねじ込まれることを特徴とする。
【０００７】
請求項３に係る本発明は、請求項１又は２記載の扉枠調整具を用いて扉枠部材の位置出しを行った後、建物の躯体と扉枠との間の隙間にスペーサを挿入し固定ビスで扉枠部材を躯体に固定してなることを特徴とする扉枠取付構造である。
【０００８】
請求項４に係る本発明は、請求項２記載の扉枠取付構造において、扉枠調整具が扉枠の左右縦枠部材の任意箇所に固定されたことを特徴とする。
【発明の効果】
【０００９】
本発明によれば、調整ビスを建物の躯体にねじ込んで締め付けることにより弾性部材を押圧して変形させることができるので、躯体に対する扉枠部材の位置（間隔）を調整することができる。また、座板部材及び弾性部材において調整ビスを挿通させるために設けられた孔はいずれも調整ビスの胴径より大きいので、調整ビスを躯体にねじ込んだ状態においても、調整ビスの胴径と挿通孔と間の寸法差によって許容される範囲内において扉枠部材の位置を躯体に対してずらすことができるので、扉枠部材を前後上下方向に移動させて微調整することが可能である。また、調整ビスの座金が扉枠部材の貫通孔より小さい寸法であるため、この寸法差によって許容される範囲内において調整ビスの移動が可能となる。このようにして、調整ビスを用いて扉枠部材を建物の躯体に対して固定した後であっても、躯体に対する扉枠の位置を前後・左右・上下の六方向に移動して微調整することができる。
【００１０】
したがって、扉枠を壁の開口部に取り付けるときの位置出しや取り付けの後に、何らかの原因で開口部躯体や扉枠が変形した場合であっても、扉枠調整具の調整ビスを締めたり緩めたりすることで扉枠を開口部に対して適正な位置を取るように再設定・微調整することができる。
【発明を実施するための最良の形態】
【００１１】
図１は、本発明による扉枠調整具３０，３０を用いて扉枠を壁の開口部に取り付けた状態の正面図である。扉枠１０は、左右一対の縦枠部材１１，１２と、これら縦枠部材１１，１２の上端を連結する横枠部材１３とから形成され、縦枠部材１１，１２勝ちに枠組みされてなる三方枠である。縦枠部材１１，１２と横枠部材１３は公知の方法で結合され、たとえば横枠部材１３の左右両端木口面から所要の長さに亘るボルト挿通穴（図示せず）を形成するとともに該ボルト挿通穴とネジ穴が整列するようにナット部材（図示せず）を挿入固定し、ボルト部材（図示せず）を縦枠部材１１，１２の上端部にあけたボルト挿通穴（図示せず）および横枠部材１３のボルト挿通穴に通してナット部材に螺合することによって行うことができる。
【００１２】
縦枠部材１１，１２及び横枠部材１３の各表裏面にはケーシング１９を嵌入するケーシング溝１４ａ，１４ｂ，１４ｃが各長手方向に延長して形成されており、縦枠部材１１，１２の上端には縦枠部材１１，１２のケーシング溝１４ａ，１４ｂと横枠部材１３のケーシング溝１４ｃとを連続させるための切除部１５ａ，１５ｃが形成されている。
【００１３】
図５に示すように、縦枠部材１１は、躯体１６との間に所定厚さｅの飼木２１を挟んで、固定ビス２０により柱などの躯体１６に固定される。躯体１６の表裏には表面板２２，２２が貼着されて壁２３を構成しており、この壁２３を両側から挟むようにケーシング１９，１９が縦枠部材１１のケーシング溝１４ａ，１４ａに嵌着される。なお、固定ビス２０の打ち込み箇所を挟んで縦枠部材１１の開口部側には、戸当たり（図示せず）を嵌着するための一対の戸当たり用溝２４，２４が刻設されている。固定ビス２０を打ち込んだ後に戸当たり用溝２４，２４に戸当たりを嵌着することにより、固定ビス２０の頭部を隠蔽する。
【００１４】
このような構成の扉枠１０において、本発明による扉枠調整具３０，３０が縦枠部材１１，１２の高さ方向略中央に一箇所ずつ設けられている。以下この扉枠調整具３０について、図２ないし図８を参照して詳述する。なお、以下に詳述する扉枠調整具３０は縦枠部材１１に設けられたものであるが、他方の縦枠部材１２に設けられた扉枠調整具３０も同一構成である。
【００１５】
扉枠調整具３０は、縦枠部材１１に固定される座板部材３１と、この座板部材３１に固定される弾性部材３２と、座板部材３１を弾性部材３２を介して建物の躯体１６に固定する調整ビス３３とを有する。この実施形態においては弾性部材３２として板バネが用いられているが、これに代えて弾性を有する合成樹脂体などを使用することも可能である。
【００１６】
座板部材３１は金属材料などで形成され、縦枠部材１１の躯体１６側の面（外側面）１７に密接した状態でビス３４で板バネ３２と共に固定される平板状の基面部３５と、この基面部３５の片面側から突出して縦枠部材１１の貫通孔１８（径Ｄを有する）に嵌着される一対の対向する略三日月状断面形状の突起部３６とを有して一体に形成されている。
【００１７】
基面部３５の中心には、一対の直線状縁３７ａ，３７ａと他の一対の円弧状縁３７ｂ，３７ｂとを有する異形矩形状の孔３７が形成され、略三日月状断面形状の突起部３６，３６の内側平面部によって直線状縁３７ａ，３７ａを定義しており、且つ、突起部３６，３６の外側円弧面と円弧状縁３７ｂ，３７ｂとで一つの円をなすように形成されている（図３，図７）。一対の突起部３６，３６の間隔、言い換えれば孔３７の一対の直線状縁３７ａ，３７ａ間の間隔ｄは調整ビス３３の胴径より十分に大きい。突起部３６の高さ寸法ｈは縦枠部材１１の厚み寸法Ｈよりも十分に小さい。また、突起部３６の先端は平坦面とされている。
【００１８】
基面部３５の上下両端近くには、板バネ３２が押圧変形したときにガイドとなるピン状突起３８，３８が形成されている。各ピン状突起３８にはビス３４を通すための孔３９が設けられ、板バネ３２の長孔４０にピン状突起３８を嵌合させた状態でビス３４を孔３９に通して縦枠部材１１にビス止めすることにより、板バネ３２の変形を許容しつつ座板部材３１を縦枠部材１１に固定することを可能にしている。
【００１９】
板バネ３２は平面視矩形状であり、その長手方向中央部を正面視円弧状に形成して円弧部４１とし、その両側を平板状のフランジ部４２，４２としたものである（図６，図７）。円弧部４１の中心には幅ｄの矩形状の孔４３が設けられる。すなわち、この矩形状の孔４３の幅は、座板部材３１の基面部３５に形成した異形矩形状の孔３７の幅（直線状縁３７ａ，３７ａ間の間隔）と同一である。各フランジ部４２には前述のように、座板部材基面部３５のピン状突起３８が挿入される長孔４０が設けられている。板バネ３２が変形せず常態を維持するとき、ピン状突起３８，３８は長孔４０，４０の外側寄りに位置している（図７）が、板バネ３２が押圧変形したときにはピン状突起３８，３８は長孔４０，４０の内側に向けて移動する。
【００２０】
調整ビス３３は、座板部材３１の対向突起部３６，３６の先端平坦面に当接させた座金４４を介して、縦枠部材１１の貫通孔１８に室内側から挿入し、躯体１６にねじ込まれる。座金４４の直径は、対向配置された一対の突起部３６，３６間の距離ｄより大きく、且つ、縦枠部材１１の貫通孔１８の径Ｄより小さい。このようにして、扉枠調整具３０は、ビス３４，３４によって縦枠部材１１に対して固着されると共に、調整ビス３３によって躯体１６に固定され、縦枠部材１１と躯体１６との間の距離は板バネ３２の弾性変形を介して調整自在である。
【００２１】
このような扉枠調整具３０を用いて扉枠１０を壁２３の開口部に取り付けるには、図１において扉枠１０の大きさに対して壁開口部の幅を１０ｍｍ、高さを５ｍｍ程度大きく形成しておき、縦枠部材１１，１２の高さ方向略中心位置に各々扉枠調整具３０，３０を前述の要領にてビス３４，３４で固定した後、この扉枠１０を壁開口部の床下地２５上に配置する。次いで、前述の要領にて調整ビス３３をねじ込み、縦枠部材１１，１２の垂直出し及び横枠部材１３の水平出しを行いながら、扉枠１０を壁開口部の適正位置に仮固定する。このとき、扉枠１０の三方枠部材１１，１２，１３と躯体１６との間に各々５ｍｍ程度の隙間ができるようにしておくと良い。次いで、縦枠部材１１，１２の任意箇所（図示実施形態では各縦枠部材について上部、中央部及び下部の三箇所）及び横枠部材１３の任意箇所（図示実施形態では横枠部材１３の左右両端近くの二箇所）において、躯体１６（柱または横架材）と各扉枠部材との間の隙間（ｅ＝約５ｍｍ）に相当する厚さの飼木２１，２１．．．を挿入し、固定ビス２０により本固定する（図５）。さらに、床下地２５には床板２６が敷設される。
【００２２】
扉枠１０を壁開口部の適正位置に仮固定する際、前述の構成の扉枠調整具３０を用いることにより、調整ビス３３が躯体１６にねじ込まれた状態であっても、前後・左右・上下の六方向のにおいて微妙な位置調整が可能である。すなわち、扉枠調整具３０は前述の要領にてビス３４，３４で縦枠部材１１に対して固定されると共に調整ビス３３で柱などの躯体１６に対して固定されるが、板バネ３２の弾性変形を通じて縦枠部材１１と躯体１６との間の間隔を調整することができるので、図１において左右方向の位置調整が可能である。板バネ３２は、圧接されていないときには長孔４０，４０の外側寄りに座板部材３１のピン状突起３８，３８を収容した状態（図７）となっており、この状態から圧接変形するにつれてピン状突起３８，３８の長孔４０，４０内の位置が内側に向けて移動していく。したがって、左右方向の調整代は、長孔４０，４０の長さとピン状突起３８，３８の直径との寸法差によって与えられるピン状突起３８，３８の移動可能距離である。
【００２３】
また、扉枠調整具３０を躯体１６に固定する調整ビス３３は、その胴径より大きな寸法を有する孔３７及び孔４３を挿通し、且つ、突起部３６，３６の先端平坦面に当接する座金４４は縦枠部材１１の貫通孔１８より小さな直径を有するので、これらの寸法差によって許容される範囲内において、縦枠部材１１を躯体１６に対して前後及び上下方向に微調整移動可能である。すなわち、図２において、座金４４は縦枠部材１１の貫通孔１８の径Ｄより十分に小さい径を有しているので該貫通孔１８内を前後方向（図２及び図３において上下方向）に移動可能であり、また、調整ビス３３はその胴径より大きい寸法のビス挿通孔３７，４３を通過しているのでこれら孔３７，４３の範囲内において前後方向に移動可能である。したがって、調整ビス３３が躯体１６にねじ込まれた状態であっても、上記各部材間の寸法差によって許容される範囲内において、縦枠部材１１を躯体１６に対して前後方向に移動してその位置を微調整することができる。さらに、座板基面部３５の異形矩形状孔３７の一対の対向する円弧状縁３７ｂ，３７ｂの間において、貫通孔１８内で座金４４が移動可能であることから、調整ビス３３が躯体１６にねじ込まれた状態であっても、この範囲内において、縦枠部材１１を躯体１６に対して上下方向（図２において紙面鉛直方向、図３において左右方向）に移動させてその位置を微調整することができる。
【図面の簡単な説明】
【００２４】
【図１】本発明による扉枠調整具を用いて扉枠（縦枠部材）を壁の開口部に取り付けた状態の正面図である。
【図２】上記扉枠調整具の構成及び用法を示すための図１のＡ−Ａ断面図である。
【図３】図２の右側面図である。
【図４】図２のＢ−Ｂ断面図である。
【図５】縦枠部材を躯体（柱）に固定した状態の断面図である。
【図６】この扉枠調整具の正面図である。
【図７】この扉枠調整具の平面図である。
【図８】この扉枠調整具の右側面図である。
【符号の説明】
【００２５】
１０  扉枠
１１，１２  縦枠部材
１３  横枠部材
１６  躯体
１８  貫通孔
２１  飼木（スペーサ）
３０  扉枠調整具
３１  座板部材
３２  板バネ（弾性部材）
３３  調整ビス
３６  突起部
３７  孔
４３  孔
４４  座金
【図１】
2006241742.tif 000003
【図２】
2006241742.tif 000004
【図３】
2006241742.tif 000005
【図４】
2006241742.tif 000006
【図５】
2006241742.tif 000007
【図６】
2006241742.tif 000008
【図７】
2006241742.tif 000009
【図８】
2006241742.tif 000010